(57)【要約】【課題】界面活性剤の配合量を減らしても粘度増加が図れ、かつ、高い洗浄力を有し、高温条件および低温条件での保存安定性に優れる液体組成物およびその製造方法の提供。【解決手段】本発明の液体組成物は、下記(Ａ)成分を０．５質量％以上５質量％未満、下記(Ｂ)成分を０．５質量％以上３質量％未満、下記(Ｃ)成分を０．５質量％以上２．５質量％未満、及び水を含有し、総界面活性剤量が５．５質量％未満、質量比(Ａ／Ｂ)が１．０〜５．０、質量比(Ｂ／Ｃ)が１．５未満、ｐＨ(２５℃)が３〜７である。(Ａ)成分: 式{Ｒ−(ＯＣＨ２ＣＨ２)ｎ−ＯＨ}で表され、ＨＬＢが１０．５〜１２．５、ナロー率が４０質量％未満の非イオン界面活性剤。(Ｂ)成分:直鎖アルキルベンゼンスルホン酸及び／又はその塩。(Ｃ)成分:カルボニル基を２つ以上有するオキシカルボン酸及びその塩、カルボニル基を２つ以上有する飽和カルボン酸及びその塩からなる群より選ばれる１種以上。【選択図】なし【特許請求の範囲】
【請求項１】
下記（Ａ）成分を０．５質量％以上５質量％未満と、下記（Ｂ）成分を０．５質量％以上３質量％未満と、下記（Ｃ）成分を０．５質量％以上２．５質量％未満と、水とを含有し、全ての界面活性剤の含有量の合計が５．５質量％未満であり、（Ａ）成分と（Ｂ）成分との質量比（（Ａ）成分／（Ｂ）成分）が１．０〜５．０であり、（Ｂ）成分と（Ｃ）成分との質量比（（Ｂ）成分／（Ｃ）成分）が１．５未満であり、かつ２５℃におけるｐＨが３〜７である、液体組成物。
（Ａ）成分：下記一般式（Ｉ）で表され、ＨＬＢが１０．５〜１２．５であり、かつナロー率が４０質量％未満である非イオン界面活性剤。
Ｒ−(ＯＣＨ２ＣＨ２)ｎ−ＯＨ    ・・・（Ｉ）
［式（Ｉ）中、Ｒは炭素数８〜１８のアルキル基または炭素数８〜１８のアルケニル基であり、ｎはオキシエチレン基の平均繰り返し数を示す。］
（Ｂ）成分：直鎖アルキルベンゼンスルホン酸および／またはその塩。
（Ｃ）成分：分子内にカルボニル基を２つ以上有するオキシカルボン酸およびその塩、ならびに分子内にカルボニル基を２つ以上有する飽和カルボン酸およびその塩からなる群より選ばれる少なくとも１種。
【請求項２】
下記（Ｄ）成分および（Ｅ）成分をさらに含有する、請求項１に記載の液体組成物。
（Ｄ）成分：過酸化水素。
（Ｅ）成分：フェノール系ラジカルトラップ剤。
【請求項３】
請求項１に記載の液体組成物の製造方法であって、
前記（Ａ）〜（Ｃ）成分と水とを混合し、混合物のｐＨを３〜７に調整する、液体組成物の製造方法。
【発明の詳細な説明】
【技術分野】
【０００１】
本発明は、液体組成物およびその製造方法に関する。
【背景技術】
【０００２】
衣類等の洗濯に用いられる洗浄剤には、粉末型と液体型がある。液体洗浄剤は、溶け残りの懸念が少なく、衣料に直接塗布できるなどの点で、近年、使用割合が高まっている。
洗浄剤においては、界面活性剤が主な洗浄成分として作用する。近年、環境配慮意識の高まりから、天然物由来の原料が再生産可能な原料として使用されているが、さらなる環境配慮の点から洗浄剤中の界面活性剤等の配合量を減らすことも重要とされている。
【０００３】
ところで、洗濯において洗浄性を補助する代表的な製品としては漂白剤が挙げられる。特に液体漂白剤は衣類全体の汚れに対する効果だけでなく、食べ物シミなどの局所的な汚れに直接塗布するという方法で洗浄性能を補助することも多い。
塗布洗浄時の洗浄力のみを考慮すれば、界面活性剤の配合量を減らしても十分な洗浄性能を確保することは可能である。しかし、塗布洗浄の効果を高めるためには、液体漂白剤の粘度を高めて過酸化水素等の漂白成分を布上に留めることが重要である。界面活性剤を高濃度に含有する液体漂白剤は粘度が高いため布上に留まりやすいが、界面活性剤の配合量を減らすと液体漂白剤の粘度も低下するため、布上に留まりにくくなる。
このように界面活性剤を含む液体組成物においては、界面活性剤の配合量を減らすと粘度が低下するという問題があった。
【０００４】
液体洗浄剤や液体漂白剤の粘度を高める方法として、例えば特許文献１には、ＨＬＢが１０〜１３．５の非イオン界面活性剤に対して、特定の溶解度と分子量の芳香族化合物を増粘剤として添加する増粘化方法が開示されている。
また、温度変化に伴う粘度変化が小さく、安定した品質の液体漂白剤として、特許文献２には、過酸化水素、非イオン界面活性剤、および金属イオン封鎖剤を含有し、２５℃における電気伝導度を０．８Ｓ／ｍ以下とした液体漂白剤組成物が開示されている。
【先行技術文献】
【特許文献】
【０００５】
【特許文献１】特開２００４−２５６７１４号公報
【特許文献２】特開平１１−２７９５９４号公報
【発明の概要】
【発明が解決しようとする課題】
【０００６】
しかしながら、特許文献１、２に記載の技術は、特に非イオン界面活性剤を５質量％以上配合した場合に増粘効果が十分に発揮されるものであった。そのため、界面活性剤の配合量を減らすという点では不十分であった。
【０００７】
ところで、液体洗浄剤や液体漂白剤等の液体組成物には、洗浄力はもちろんのこと、保存安定性に優れることも求められる。特に、低温条件での保存安定性が低下すると、例えば冬場の気温変動により白濁、分離、沈殿等が生じやすくなる。
【０００８】
本発明は上記事情を鑑みてなされたものであり、界面活性剤の配合量を減らしても粘度増加が図れ、かつ、高い洗浄力を有し、高温条件および低温条件での保存安定性に優れる液体組成物およびその製造方法を目的とする。
【課題を解決するための手段】
【０００９】
本発明者らは鋭意検討した結果、特定の非イオン界面活性剤と、特定のアニオン界面活性剤と、分子内に２つ以上のカルボニル基を有する特定のカルボン酸とを併用し、かつｐＨを特定の範囲に調整することで、界面活性剤の配合量を減らしても粘度増加が図れることを見出し、本発明を完成するに至った。
【００１０】
すなわち、本発明は以下の態様を有する。
［１］  下記（Ａ）成分を０．５質量％以上５質量％未満と、下記（Ｂ）成分を０．５質量％以上３質量％未満と、下記（Ｃ）成分を０．５質量％以上２．５質量％未満と、水とを含有し、全ての界面活性剤の含有量の合計が５．５質量％未満であり、（Ａ）成分と（Ｂ）成分との質量比（（Ａ）成分／（Ｂ）成分）が１．０〜５．０であり、（Ｂ）成分と（Ｃ）成分との質量比（（Ｂ）成分／（Ｃ）成分）が１．５未満であり、かつ２５℃におけるｐＨが３〜７である、液体組成物。
（Ａ）成分：下記一般式（Ｉ）で表され、ＨＬＢが１０．５〜１２．５であり、かつナロー率が４０質量％未満である非イオン界面活性剤。
Ｒ−(ＯＣＨ２ＣＨ２)ｎ−ＯＨ    ・・・（Ｉ）
［式（Ｉ）中、Ｒは炭素数８〜１８のアルキル基または炭素数８〜１８のアルケニル基であり、ｎはオキシエチレン基の平均繰り返し数を示す。］
（Ｂ）成分：直鎖アルキルベンゼンスルホン酸および／またはその塩。
（Ｃ）成分：分子内にカルボニル基を２つ以上有するオキシカルボン酸およびその塩、ならびに分子内にカルボニル基を２つ以上有する飽和カルボン酸およびその塩からなる群より選ばれる少なくとも１種。
［２］  下記（Ｄ）成分および（Ｅ）成分をさらに含有する、［１］に記載の液体組成物。
（Ｄ）成分：過酸化水素。
（Ｅ）成分：フェノール系ラジカルトラップ剤。
［３］  ［１］に記載の液体組成物の製造方法であって、
前記（Ａ）〜（Ｃ）成分と水とを混合し、混合物のｐＨを３〜７に調整する、液体組成物の製造方法。
【発明の効果】
【００１１】
本発明の液体組成物は、界面活性剤の配合量を減らしても粘度増加が図れ、かつ、高い洗浄力を有し、高温条件および低温条件での保存安定性に優れる。
本発明の液体組成物の製造方法によれば、界面活性剤の配合量を減らしても粘度増加が図れ、かつ、高い洗浄力を有し、高温条件および低温条件での保存安定性に優れる液体組成物を製造できる。
【発明を実施するための形態】
【００１２】
以下、本発明を詳細に説明する。
本発明の液体組成物は、下記（Ａ）〜（Ｃ）成分と水とを含有する。また、下記（Ｄ）成分および（Ｅ）成分などをさらに含有することが好ましい。
【００１３】
＜（Ａ）成分＞
（Ａ）成分は、下記一般式（Ｉ）で表され、ＨＬＢが１０．５〜１２．５であり、かつナロー率が４０質量％未満である非イオン界面活性剤である。（Ａ）成分は、汚れ（特に油性シミ汚れ）に対する除去性を高める成分である。また、後述する（Ｂ）成分および（Ｃ）成分との併用により粘度増加を図る成分でもある。
Ｒ−(ＯＣＨ２ＣＨ２)ｎ−ＯＨ    ・・・（Ｉ）
［式（Ｉ）中、Ｒは炭素数８〜１８のアルキル基または炭素数８〜１８のアルケニル基であり、ｎはオキシエチレン基の平均繰り返し数（すなわち、オキシエチレン基の平均付加モル数）を示す。］
【００１４】
上記一般式（Ｉ）において、Ｒの炭素数はそれぞれ８〜１８であり、１０〜１８が好ましく、１２〜１６がより好ましい。炭素数が８以上であれば、増粘効果が得られる。一方、炭素数が１８以下であれば、高温条件および低温条件での保存安定性が良好となる。アルキル基およびアルケニル基は、直鎖であっても分岐鎖であってもよいが、直鎖であることが好ましい。また、不飽和結合を有していてもよいし、有していなくてもよい。
【００１５】
上記一般式（Ｉ）において、ｎは上記一般式（Ｉ）で表される非イオン界面活性剤のＨＬＢが１０．５〜１２．５であれば特に制限されないが、５〜７が好ましく、５．５〜７がよりに好ましく、６〜７がさらに好ましい。
【００１６】
（Ａ）成分のＨＬＢ（親水親油バランス）は１０．５〜１２．５であり、１１．０〜１２．５が好ましく、１１．５〜１２．５がより好ましい。ＨＬＢが上記範囲内であれば、増粘効果が得られる。特にＨＬＢが１０．５以上であれば、曇点が高くなるとともに、（Ａ）成分中のエチレンオキシド未付加体の割合が少なくなるため、高温条件および低温条件での保存安定性が良好となる。なお、複数の（Ａ）成分を併用する場合は、これらＨＬＢの平均値が１０．５〜１２．５である。
上記一般式（Ｉ）中、ｎが５〜７であればＨＬＢが１０．５〜１２．５に容易になり、ｎが５．５〜７であればＨＬＢが１１．０〜１２．５に容易になり、ｎが６〜７であればＨＬＢが１１．５〜１２．５に容易になる。
【００１７】
ここで「ＨＬＢ」は、Ｗ．Ｃ．Ｇｒｉｆｆｉｎの方法により求められた値であり、詳しくは、Ｊ．Ｓｏｃ．Ｃｏｓｍｅｔｉｃ  Ｃｈｅｍｉｓｔｓ，１，ｐ３１１（１９４９）に記載されている方法により求めることができる。
【００１８】
（Ａ）成分のナロー率は４０質量％未満であり、２０質量％以上４０質量％未満が好ましく、２５質量％以上４０質量％未満がより好ましく、２５質量％以上３５質量％未満がさらに好ましい。ナロー率が４０質量％未満の非イオン界面活性剤は、一般的な製造方法により得られるので、汎用性に優れる。一方、ナロー率が２０質量％以上であれば、増粘効果がより得られやすくなる。
【００１９】
ここで「ナロー率」とは、（Ａ）成分を構成する全エチレンオキシド付加体中に質量基準で最も多く存在するエチレンオキシド付加体のオキシエチレン基の平均繰り返し数（ｎ）を「ｎ−ａｖｅ」としたときに、オキシエチレン基の平均繰り返し数（ｎ）が（ｎ−ａｖｅ±２）の範囲にあるエチレンオキシド付加体の質量の合計が、（Ａ）成分全体の質量に占める割合のことである。例えば、ｎ−ａｖｅが６であり、オキシエチレン基の平均繰り返し数（ｎ）が４〜８の範囲にあるエチレンオキシド付加体の質量の合計が（Ａ）成分の全体の質量の３５％の場合、ナロー率は３５質量％となる。
【００２０】
（Ａ）成分としては、例えば炭素数１２／１４の天然アルコールに対して、５モル、６モル、または７モル相当のエチレンオキシドを付加した非イオン界面活性剤などが挙げられる。
また、（Ａ）成分の市販品として、ライオンケミカル株式会社製の「レオックスＣＬ−５０」、「レオックスＣＬ−６０」、「レオックスＣＬ−７０」などが挙げられる。
（Ａ）成分は１種単独で用いてもよいし、２種以上を併用してもよい。
【００２１】
（Ａ）成分の含有量は、液体組成物１００質量％中、０．５質量％以上５質量％未満であり、１質量％以上５質量％未満が好ましく、２質量％以上４質量％未満がより好ましく、３質量％以上４質量％未満がさらに好ましい。（Ａ）成分の含有量が５質量％未満であれば、液体組成物に含まれる全ての界面活性剤の含有量の合計（以下、「総界面活性剤量」という。）を減らすことができ、環境に対する負荷を軽減できる。また、高温条件および低温条件での保存安定性が良好となる。一方、（Ａ）成分の含有量が０．５質量％以上であれば、増粘効果がより得られやすくなる。また、洗浄力をより高めることができる。
【００２２】
＜（Ｂ）成分＞
（Ｂ）成分は、直鎖アルキルベンゼンスルホン酸および／またはその塩である。（Ｂ）成分は、特に高温条件および低温条件での保存安定性を高める成分（アニオン界面活性剤）である。また、（Ａ）成分および後述する（Ｃ）成分との併用により粘度増加を図る成分でもある。
【００２３】
直鎖アルキルベンゼンスルホン酸としては、直鎖アルキル基の炭素数が８〜１８のものが好ましく、炭素数が１０〜１５のものがより好ましい。
直鎖アルキルベンゼンスルホン酸の塩としては、ナトリウム塩、カリウム塩等のアルカリ金属塩；カルシウム塩、マグネシウム塩等のアルカリ土類金属塩；アンモニウム塩；モノエタノールアミン、ジエタノールアミン等のアルカノールアミン塩などが挙げられる。特に増粘効果が得られやすくなる点で、ナトリウム塩が好ましい。
【００２４】
（Ｂ）成分としては、例えば直鎖アルキル（炭素数１０〜１４）ベンゼンスルホン酸およびそのナトリウム塩などが挙げられる。
また、（Ｂ）成分の市販品として、ライオン株式会社製の「ライポンＬＨ−２００」などが挙げられる。
（Ｂ）成分は１種単独で用いてもよいし、２種以上を併用してもよい。
【００２５】
（Ｂ）成分の含有量は、液体組成物１００質量％中、０．５質量％以上３質量％未満であり、１質量％以上３質量％未満が好ましく、１質量％以上２質量％未満がより好ましい。（Ｂ）成分の含有量が０．５質量％以上であれば、高温条件および低温条件での保存安定性が良好となる。一方、（Ｂ）成分の含有量が３質量％未満であれば、洗浄力が高まる。
【００２６】
また、（Ａ）成分と（Ｂ）成分との質量比（（Ａ）成分／（Ｂ）成分）は１．０〜５．０であり、２．０〜４．５が好ましく、３．０〜４．０がより好ましい。質量比が１．０以上であれば、洗浄力を十分に維持しつつ、増粘効果が得られる。一方、質量比が５．０以下であれば、高温条件および低温条件での保存安定性が良好となる。
【００２７】
また、液体組成物１００質量％中の総界面活性剤量は５．５質量％未満であり、２．０質量％以上５．５質量％未満が好ましく、３．５質量％以上５．０質量％未満がより好ましい。総界面活性剤量が５．５質量％未満であれば、環境に対する負荷を軽減できる。一方、総界面活性剤量が２．０質量％以上であれば、十分な洗浄力が得られる。
なお、本発明の液体組成物が後述する任意界面活性剤を含有する場合、総界面活性剤量は（Ａ）成分および（Ｂ）成分と任意界面活性剤との含有量の合計のことであり、本発明の液体組成物が任意界面活性剤を含有しない場合、総界面活性剤量は（Ａ）成分および（Ｂ）成分の含有量の合計のことである。
【００２８】
＜（Ｃ）成分＞
（Ｃ）成分は、分子内にカルボニル基を２つ以上有するオキシカルボン酸およびその塩、ならびに分子内にカルボニル基を２つ以上有する飽和カルボン酸およびその塩からなる群より選ばれる少なくとも１種である。（Ｃ）成分は、（Ａ）成分および（Ｂ）成分との併用により粘度増加を図る成分である。
【００２９】
分子内にカルボニル基を２つ以上有するオキシカルボン酸としては、例えばリンゴ酸、酒石酸、クエン酸などが挙げられる。
分子内にカルボニル基を２つ以上有するオキシカルボン酸の塩としては、ナトリウム塩、カリウム塩などが挙げられる。
【００３０】
分子内にカルボニル基を２つ以上有する飽和カルボン酸としては、例えばマロン酸、グルタル酸などが挙げられる。
分子内にカルボニル基を２つ以上有する飽和カルボン酸の塩としては、ナトリウム塩、カリウム塩などが挙げられる。
【００３１】
（Ｃ）成分としては、増粘効果と保存安定性のバランスに優れる点で、分子内にカルボニル基を２つ以上有するオキシカルボン酸が好ましく、その中でも特に増粘効果が高く、かつ洗浄力をより高める点でリンゴ酸、クエン酸が好ましい。また、液体組成物が後述する（Ｄ）成分を含有する場合、（Ｄ）成分の安定性が低下しやすいｐＨ７付近において緩衝機能を付与できる点でクエン酸が特に好ましい。
（Ｃ）成分は、１種単独で用いてもよく、２種以上を併用してもよい。
【００３２】
（Ｃ）成分の含有量は、液体組成物１００質量％中、０．５質量％以上２．５質量％未満であり、１質量％以上２．５質量％未満が好ましく、１質量％以上２質量％未満がより好ましい。（Ｃ）成分の含有量が０．５質量％以上であれば、詳しくは後述するが、（Ａ）成分および（Ｂ）成分で形成されるミセルの中に（Ｃ）成分が取り込まれ、適度に親水性を保ちながら棒状ミセルの形成を促進する。よって、高温条件での保存安定性を保ちながら十分な増粘効果が得られる。一方、（Ｃ）成分の含有量が２．５質量％未満であれば、低温条件での保存安定性が良好となる。
【００３３】
また、（Ｂ）成分と（Ｃ）成分との質量比（（Ｂ）成分／（Ｃ）成分）は１．５未満であり、０．５以上１．５未満が好ましく、０．５以上１．０未満がより好ましく、０．５以上０．９未満がさらに好ましい。質量比が１．５未満であれば、増粘効果が得られる。一方、質量比が０．５以上であれば、高温条件および低温条件での保存安定性がより良好となる。
【００３４】
また、（Ｂ）成分および（Ｃ）成分の含有量の合計は１．０質量％以上であり、１．０質量％以上４．５質量％未満が好ましく、１．５質量％以上４．０質量％未満がより好ましく、２．０質量％以上３．５質量％未満がさらに好ましい。（Ｂ）成分および（Ｃ）成分の含有量の合計が１．０質量％以上であれば、増粘効果が得られる。一方、（Ｂ）成分および（Ｃ）成分の含有量の合計が４．５質量％未満であれば、高温条件および低温条件での保存安定性がより良好となる。
【００３５】
＜（Ｄ）成分＞
（Ｄ）成分は、過酸化水素である。（Ｄ）成分は、洗浄力（特に塗布洗浄時の洗浄力）を高める漂白成分である。本発明の液体組成物を液体漂白剤として用いる場合には、（Ｄ）成分を含有するのが好ましい。
（Ｄ）成分の含有量は、液体組成物１００質量％中、０．１〜５質量％が好ましい。（Ｄ）成分の含有量が０．１質量％以上であれば、十分な漂白効果が得られる。一方、（Ｄ）成分の含有量が５質量％以下であれば、増粘効果を良好に維持できる。
【００３６】
ところで、（Ｃ）成分は（Ｄ）成分と反応することで（Ｃ）成分が分解し、ガス（二酸化炭素）が発生すると考えられる。通常、（Ｄ）成分はｐＨが酸性側である方が安定であるが、ｐＨが酸性になるほど（Ｃ）成分は（Ｄ）成分と反応しやすくなる傾向にある。一方、ｐＨが中性付近である場合、（Ｃ）成分の（Ｄ）成分との反応性は低くなる傾向にあるが、（Ｄ）成分の安定性も低下する。（Ｄ）成分の安定性が低下すると（Ｃ）成分は（Ｄ）成分と反応しやすくなるため、結果として（Ｃ）成分の（Ｄ）成分との反応性が高くなる。
（Ｃ）成分と（Ｄ）成分との存在下に、下記（Ｅ）成分を添加すると、（Ｃ）成分の（Ｄ）成分との反応性が低下するとともに、（Ｄ）成分の安定性が向上する。その結果、（Ｃ）成分の分解が抑制され、ガス発生を防止できると考えられる。このとき、液体組成物の２５℃におけるｐＨを５〜７に調整すれば、（Ｃ）成分の分解がより抑制される。
また、（Ｃ）成分が分解すると増粘効果が低下するおそれもあるが、（Ｅ）成分を併用し、好ましくは液体組成物のｐＨを５〜７に調整することにより（Ｃ）成分の分解を抑制することで、増粘効果を良好に維持できると考えられる。
【００３７】
＜（Ｅ）成分＞
（Ｅ）成分は、フェノール系ラジカルトラップ剤である。（Ｅ）成分は、液体組成物が（Ｄ）成分を含有する場合に、（Ｃ）成分の分解により発生するガスを抑制する目的で用いられる。
フェノール系ラジカルトラップ剤とは、フェノールまたはフェノール誘導体のことである。
フェノール誘導体としては、フェノール性のＯＨ基を有する化合物、フェノール性のＯＨ基のエステル誘導体、フェノール性のＯＨ基のエーテル誘導体などが挙げられる。なお、ベンゼン環には置換基が結合していてもよく、その置換位置は、オルト位、メタ位、パラ位のいずれでもよい。
ここで、「フェノール性のＯＨ基のエステル誘導体」とは、フェノール性のＯＨ基の水素原子が、炭素数１〜３程度の脂肪酸とエステル反応することにより形成されるエステル基を有する化合物を示す。
また、「フェノール性のＯＨ基のエーテル誘導体」とは、フェノール性のＯＨ基の水素原子が、炭素数１〜５のアルキル基またはフェニル基などのアリール基と置換してエーテル結合を構成している基を有する化合物を示す。
【００３８】
これらの中でも、（Ｅ）成分としてはフェノール性のＯＨ基を有する化合物が好ましい。その中でも特に、「Ｇ．Ｅ．Ｐｅｎｋｅｔｈ，Ｊ．Ａｐｐｌ．Ｃｈｅｍ」，７，５１２〜５２１頁（１９５７）に記載された酸化還元電位（Ｏ．Ｐ．）０が１．２５Ｖ以下の化合物が好ましく、０．７５Ｖ以下の化合物がより好ましい。これらの中でも、さらに好ましくは、ジメトキシフェノール、カテコール、ハイドロキノン、４−メトキシフェノール、ジブチルヒドロキシトルエン（ＢＨＴ）等が挙げられ、４−メトキシフェノールが特に好ましい。
（Ｅ）成分は、１種単独で用いてもよく、２種以上を併用してもよい。
【００３９】
（Ｅ）成分の含有量は、液体組成物１００質量％中、０．０１〜６質量％が好ましく、０．０５〜２質量％がより好ましい。（Ｅ）成分の含有量が０．０１質量％以上であれば、（Ｄ）成分が存在していても（Ｃ）成分の分解を抑制でき、液体組成物からのガス発生を防止できる。一方、（Ｅ）成分の含有量が６質量％以下であれば、製造コストが高くなりにくい。
【００４０】
＜任意成分＞
本発明の液体組成物は、必要に応じて、本発明の効果を損なわない範囲で、上記（Ａ）〜（Ｅ）成分、および水以外の他の成分を含有してもよい。
例えば本発明の液体組成物が（Ｄ）成分を含有する場合は、漂白効果を向上させる目的で下記漂白活性化剤をさらに含有することが好ましい。
さらに、高温条件での保存安定性をより向上させる目的で下記キレート剤を含有することが好ましく、低温条件での保存安定性をより向上させる目的で下記ハイドロトロープ剤を含有することが好ましく、嗜好性を高める目的で下記香料を含有することが好ましい。
【００４１】
（漂白活性化剤）
漂白活性化剤としては、例えばテトラアセチルエチレンジアミン、ペンタアセチルグルコース、オクタノイルオキシベンゼンスルホン酸ナトリウム、ノナノイルオキシベンゼンスルホン酸ナトリウム、デカノイルオキシベンゼンスルホン酸ナトリウム、ウンデカノイルオキシベンゼンスルホン酸ナトリウム、ドデカノイルオキシベンゼンスルホン酸ナトリウム、オクタノイルオキシ安息香酸、ノナノイルオキシ安息香酸、デカノイルオキシ安息香酸、ウンデカノイルオキシ安息香酸、ドデカノイルオキシ安息香酸、オクタノイルオキシベンゼン、ノナノイルオキシベンゼン、デカノイルオキシベンゼン、ウンデカノイルオキシベンゼン、ドデカノイルオキシベンゼン等の有機過酸前駆体などが挙げられる。これらの中でも、ノナノイルオキシベンゼンスルホン酸ナトリウム、ドデカノイルオキシベンゼンスルホン酸ナトリウム、デカノイルオキシ安息香酸が好ましい。
これら漂白活性化剤は１種単独で用いてもよく、２種以上を併用してもよい。
【００４２】
（キレート剤）
キレート剤は、Ｆｅ３＋およびＣｕ２＋に対するキレート安定化定数の対数値（ｌｏｇＫ）がそれぞれ１０以上であって、Ｃａ２＋に対するキレート安定化定数の対数値（ｌｏｇＫ）がそれぞれ５．５以上であるキレート剤である。Ｆｅ３＋およびＣｕ２＋に対するキレート安定化定数の対数値（ｌｏｇＫ）は、それぞれ１２以上が好ましい。
このようなキレート剤としては、例えばエタン−１，１−ジホスホン酸、エタン−１，１，２−トリホスホン酸塩、１−ヒドロキシエタン−１，１−ジホスホン酸、エタンヒドロキシ−１，１，２−トリホスホン酸、エタン−１，２−ジカルボキシ−１，２−ジホスホン酸、メタンヒドロキシホスホン酸、ニトリロトリメチレンホスホン酸、エチレンジアミンテトラキスメチレンホスホン酸等の有機ホスホン酸誘導体が挙げられる。これらの中でも、１−ヒドロキシエタン−１，１−ジホスホン酸、エチレンジアミンテトラキスメチレンホスホン酸が好ましく、１−ヒドロキシエタン−１，１−ジホスホン酸が特に好ましい。
１−ヒドロキシエタン−１，１−ジホスホン酸としては、市販品を用いることができ、例えばローディアジャパン株式会社製の「フェリオックス１１５」；オルブライトウィルソン社製の「ＢＲＩＱＵＥＳＴ  ＡＤＰＡ」；キレスト株式会社製の「キレストＰＨ−２１０」；モンサント社製の「ＤＥＱＵＥＳＴ  ２０１０」等が挙げられる。
【００４３】
これらキレート剤は１種単独で用いてもよく、２種以上を併用してもよい。
キレート剤の含有量は特に制限されないが、液体組成物１００質量％中、０．０１〜５質量％が好ましく、０．１〜５質量％がより好ましい。
【００４４】
（ハイドロトロープ剤）
ハイドロトロープ剤としては、例えばエタノール、１−プロパノール、２−プロパノール、１−ブタノール等のアルコール類；プロピレングリコール、ブチレングリコール、ヘキシレングリコール等のグリコール類；ジエチレングリコール、トリエチレングリコール、テトラエチレングリコール、質量平均分子量が約２００のポリエチレングリコール、質量平均分子量が約４００のポリエチレングリコール、ジプロピレングリコール等のポリグリコール類；ジエチレングリコールモノメチルエーテル、ジエチレングリコールジメチルエーテル等のアルキルエーテル類等の水混和性の有機溶剤、パラトルエンスルホン酸、安息香酸塩、尿素などが挙げられる。
これらハイドロトロープ剤は１種単独で用いてもよく、２種以上を併用してもよい。
【００４５】
（香料）
香料とは、香料原料単体、または香料原料、香料用溶剤、香料安定化剤等からなる混合物である香料組成物を含むものである。
香料の含有量は特に制限されないが、液体組成物１００質量％中、０．０００１〜５質量％が好ましく、０．００１〜２質量％がより好ましい。
【００４６】
香料として使用される香料原料のリストは、様々な文献、例えば「Ｐｅｒｆｕｍｅ  ａｎｄ  Ｆｌａｖｏｒ  Ｃｈｅｍｉｃａｌｓ」，Ｖｏｌ．Ｉ  ａｎｄ  ＩＩ，Ｓｔｅｆｆｅｎ  Ａｒｃｔａｎｄｅｒ，Ａｌｌｕｒｅｄ  Ｐｕｂ．Ｃｏ．（１９９４）；「合成香料  化学と商品知識」、印藤元一著、化学工業日報社（１９９６）；「Ｐｅｒｆｕｍｅ  ａｎｄ  Ｆｌａｖｏｒ  Ｍａｔｅｒｉａｌｓ  ｏｆ  ＮａｔｕｒａｌＯｒｉｇｉｎ」，Ｓｔｅｆｆｅｎ  Ａｒｃｔａｎｄｅｒ，Ａｌｌｕｒｅｄ  Ｐｕｂ．Ｃｏ．（１９９４）；「香りの百科」、日本香料協会編、朝倉書店（１９８９）；「Ｐｅｒｆｕｍｅｒｙ  Ｍａｔｅｒｉａｌ  Ｐｅｒｆｏｒｍａｎｃｅ  Ｖ．３．３」，Ｂｏｅｌｅｎｓ  Ａｒｏｍａ  Ｃｈｅｍｉｃａｌ  Ｉｎｆｏｒｍａｔｉｏｎ  Ｓｅｒｖｉｃｅ（１９９６）；「Ｆｌｏｗｅｒ  ｏｉｌｓ  ａｎｄ  Ｆｌｏｒａｌ  Ｃｏｍｐｏｕｎｄｓ  Ｉｎ  Ｐｅｒｆｕｍｅｒｙ」，Ｄａｎｕｔｅ  Ｌａｊａｕｊｉｓ  Ａｎｏｎｉｓ，Ａｌｌｕｒｅｄ  Ｐｕｂ．Ｃｏ．（１９９３）等に記載されている。
【００４７】
香料用溶剤としては、例えばエタノール、アセチン（トリアセチン）、ＭＭＢアセテート（３−メトキシ−３−メチルブチルアセテート）、エチレングリコールジブチレート、ヘキシレングリコール、ジブチルセバケート、デルチールエキストラ（イソプロピルミリステート）、メチルカルビトール（ジエチレングリコールモノメチルエーテル）、カルビトール（ジエチレングリコールモノエチルエーテル）、ＴＥＧ（トリエチレングリコール）、安息香酸ベンジル、プロピレングリコール、フタル酸ジエチル、トリプロピレングリコール、アボリン（ジメチルフタレート）、デルチルプライム（イソプロピルパルミテート）、ジプロピレングリコールＤＰＧ−ＦＣ（ジプロピレングリコール）、ファルネセン、ジオクチルアジペート、トリブチリン（グリセリルトリブタノエート）、ヒドロライト−５（１，２−ペンタンジオール）、プロピレングリコールジアセテート、セチルアセテート（ヘキサデシルアセテート）、エチルアビエテート、アバリン（メチルアビエテート）、シトロフレックスＡ−２（アセチルトリエチルシトレート）、シトロフレックスＡ−４（トリブチルアセチルシトレート）、シトロフレックスＮｏ．２（トリエチルシトレート）、シトロフレックスＮｏ．４（トリブチルシトレート）、ドゥラフィックス（メチルジヒドロアビエテート）、ＭＩＴＤ（イソトリデシルミリステート）、ポリリモネン（リモネンポリマー）、プロピレングリコール、１，３−ブチレングリコール等が挙げられる。
香料組成物１００質量％中の香料用溶剤の含有量は、０．１〜９９質量％が好ましく、０．１〜１０％質量がより好ましい。
【００４８】
香料安定化剤としては、ジブチルヒドロキシトルエン、ブチルヒドロキシアニソール、ビタミンＥとその誘導体、カテキン化合物、フラボノイド化合物、ポリフェノール化合物等が挙げられる。これらの中でも、ジブチルヒドロキシトルエンが好ましい。
香料組成物１００質量％中の香料安定化剤の含有量は、０．０００１〜１０質量％が好ましく、０．００１〜５質量％がより好ましい。
【００４９】
（その他）
本発明の液体組成物は、上述した任意成分以外にも、液体洗浄剤や液体漂白剤等に通常用いられる成分を配合することができ、例えば以下に示す任意界面活性剤やｐＨ調整剤などが挙げられる。
【００５０】
（任意界面活性剤）
任意界面活性剤としては、（Ａ）成分及び（Ｂ）成分を除くものであればよく、例えばカチオン界面活性剤、両性界面活性剤などが挙げられる。また、（Ａ）成分以外の非イオン界面活性剤や、（Ｂ）成分以外のアニオン界面活性剤を任意界面活性剤として含んでいてもよい。
任意界面活性剤は１種単独で用いてもよく、２種以上を併用してもよい。
任意界面活性剤の含有量は、液体組成物１００質量％中、１質量％以下が好ましい。
【００５１】
（ｐＨ調整剤）
ｐＨ調整剤としては、例えば塩酸、硫酸等の無機酸；水酸化ナトリウム、水酸化カリウム等の無機塩基などが挙げられる。中でも硫酸、水酸化ナトリウムが好ましい。
ｐＨ調整剤は１種単独で用いてもよく、２種以上を併用してもよい。
【００５２】
＜物性＞
（ｐＨ）
本発明の液体組成物の２５℃におけるｐＨは３〜７である。液体組成物のｐＨを上記範囲内とすることで、詳細は後述するが（Ｃ）成分が酸解離を起こすことで、保存安定性を維持しつつ、増粘効果が得られる。
保存安定性を維持しつつ増粘効果をより高める点では、液体組成物のｐＨは４〜７が好ましく、４〜６が好ましい。
また、（Ｃ）成分の分解を抑制でき、液体組成物からのガス発生を防止できる点では、液体組成物のｐＨは５〜７が好ましく、５〜６がより好ましい。
【００５３】
液体組成物のｐＨは、ｐＨ調整剤を用いて調整できる。なお、液体組成物のｐＨは（Ｃ）成分の含有量によっても変化するので、上述した（Ｃ）成分の含有量の範囲内であれば、（Ｃ）成分によって液体組成物のｐＨを調整してもよい。
【００５４】
（粘度）
本発明の液体組成物の２５℃における粘度は１０〜１００ｍＰａ・ｓが好ましく、１０〜５０ｍＰａ・ｓがより好ましい。粘度が上記範囲内であれば、安定性に優れ、使い勝手のよい液体組成物となる。また、液体組成物を塗布洗浄に用いる場合でも、布上に留まりやすい。
【００５５】
ここで、液体組成物の粘度は、以下のようにして測定されたものである。
まず、Ｂ型粘度計にローター番号Ｎｏ．１（粘度が１００ｍＰａ・ｓ以上の場合はローター番号Ｎｏ．２）を備え付ける。ついで、測定試料をビーカーに入れ、２５℃の恒温槽内にて測定試料の液温が２５℃になるように調整する。液温を２５℃に調整した測定試料を先のＢ型粘度計にセットし、ローターの回転数を６０ｒｐｍに設定し、回転開始から６０秒後の粘度を測定する。
【００５６】
＜製造方法＞
本発明の液体組成物は、上記（Ａ）〜（Ｃ）成分と、必要に応じて（Ｄ）成分、（Ｅ）成分、任意成分とを、各成分の純分換算量が上記範囲内となるように、水（例えば精製水、イオン交換水など）と混合し、混合物のｐＨを３〜７に調整することにより得られる。上述したように、ｐＨは（Ｃ）成分の含有量（配合量）によっても変化するので、（Ｃ）成分の配合量を調節して混合物のｐＨを調整してもよい。（Ｃ）成分だけでは混合物のｐＨが所望の値とならない場合は、ｐＨ調整剤を用いてｐＨを調整する。
混合条件としては、（Ｂ）成分および（Ｃ）成分と水とを混合した後に、（Ａ）成分を添加してさらに混合するのが好ましい。（Ｂ）成分と（Ｃ）成分の添加順序は特に制限されないが、（Ｂ）成分の後に（Ｃ）成分を添加するのが好ましい。また、液体組成物が（Ｄ）成分、（Ｅ）成分、任意成分を含有する場合、その混合のタイミングは特に制限されないが、例えば（Ｄ）成分は、最後に添加することが好ましく、（Ｅ）成分は（Ａ）成分、（Ｂ）成分および（Ｃ）成分を添加した後に添加することが好ましい。
【００５７】
＜使用方法＞
本発明の液体組成物は、液体洗浄剤として好適である。特に液体組成物が（Ｄ）成分を含有していれば、液体漂白剤として用いることもできる。
本発明の液体組成物の使用方法は、通常の液体洗浄剤や液体漂白剤の使用方法と同様である。すなわち本発明の液体組成物（以下、本発明品ということがある。）を、洗濯時に洗濯物と一緒に水に投入する方法、泥汚れや皮脂汚れに本発明品を直接塗布する方法、本発明品を予め水に溶かして衣類を浸漬する方法等が挙げられる。また、本発明品を洗濯物に塗布後、適宜放置し、その後、通常の洗濯液を用いて通常の洗濯を行う方法も好ましい。
【００５８】
＜作用効果＞
以上説明した本発明の液体組成物は、上記（Ａ）〜（Ｃ）成分を特定量含有し、かつ２５℃におけるｐＨが３〜７であるため、界面活性剤の配合量を減らしても粘度増加が図れ、かつ、高い洗浄力を有し、高温条件および低温条件での保存安定性に優れる。
粘度増加を図りつつ、高温条件および低温条件での保存安定性に優れる理由としては以下のように考えられる。
ＨＬＢが１０．５〜１２．５であり、かつナロー率が４０質量％未満である、上記一般式（Ｉ）で表される非イオン界面活性剤（（Ａ）成分）は、ＨＬＢが１３以上のエチレンオキシド付加体を多く含んでいるため、球状ミセルを形成しやすい。また、（Ａ）成分はエチレンオキシドが付加されていないものも含んでいるため、高温条件および低温条件での保存安定性が悪い。そのため、（Ａ）成分と水との組成物（初期組成物）は、一般的に粘度が低くなる傾向にあり、さらに安定性の確保が困難となる。該初期組成物に（Ｂ）成分および（Ｃ）成分を添加すると、（Ｂ）成分が安定性を良好にしつつ、（Ｃ）成分が棒状ミセルの形成を促進するため、増粘効果が得られる。また、ｐＨを３〜７に調整して液体組成物とすると、理由は定かではないが、（Ｃ）成分の酸解離が起こり、親水性を維持しながら棒状ミセルの形成をさらに促進するため、増粘効果が得られると考えられる。また、（Ｃ）成分は適度に棒状ミセルのパッキング性を緩和し、高温条件および低温条件での保存安定性を維持しながら増粘効果を発現すると考えられる。
【００５９】
通常、（Ａ）成分を５質量％未満と水とを含有し、２５℃におけるｐＨが３〜７の組成物（初期組成物）は、２５℃における粘度が２〜２０ｍＰａ・ｓ程度の範囲にある。特に、粘度が１０〜２０ｍＰａ・ｓ程度の範囲にある場合は、高温条件および低温条件での保存安定性が低下する傾向にある。該初期組成物に（Ｂ）成分および（Ｃ）成分を添加し、ｐＨを３〜７に調整することにより、上述したように、高温条件および低温条件での保存安定性を維持しながら増粘化する。
本発明の液体組成物であれば、初期組成物の粘度の２〜２０倍、好ましくは５〜１０倍の増粘化が可能となる。
【実施例】
【００６０】
以下、本発明を実施例により具体的に説明するが、本発明はこれらに限定されるものではない。
【００６１】
「使用原料」
（Ａ）成分として、以下に示す化合物を用いた。
・Ａ−１：天然アルコール（Ｃ１２／Ｃ１４＝７／３）に平均５モルのエチレンオキシドを付加した非イオン界面活性剤（ライオンケミカル株式会社製、「レオックスＣＬ−５０」、ＨＬＢ＝１０．６、ナロー率＝３６質量％）、上記一般式（Ｉ）に示す化合物に相当し、式（Ｉ）中、Ｒはドデシル基／テトラデシル基＝７／３であり、ｎ＝５である。
・Ａ−２：天然アルコール（Ｃ１２／Ｃ１４＝７／３）に平均６モルのエチレンオキシドを付加した非イオン界面活性剤（ライオンケミカル株式会社製、「レオックスＣＬ−６０」、ＨＬＢ＝１１．６、ナロー率＝３９質量％）、上記一般式（Ｉ）に示す化合物に相当し、式（Ｉ）中、Ｒはドデシル基／テトラデシル基＝７／３であり、ｎ＝６である。
・Ａ−３：天然アルコール（Ｃ１２／Ｃ１４＝７／３）に平均７モルのエチレンオキシドを付加した非イオン界面活性剤（ライオンケミカル株式会社製、「レオックスＣＬ−７０」、ＨＬＢ＝１２．３、ナロー率＝３５質量％）、上記一般式（Ｉ）に示す化合物に相当し、式（Ｉ）中、Ｒはドデシル基／テトラデシル基＝７／３であり、ｎ＝７である。
【００６２】
（Ｂ）成分として、以下に示す化合物を用いた。
・Ｂ−１：直鎖アルキル（炭素数１０〜１４）ベンゼンスルホン酸（ライオン株式会社製、「ライポンＬＨ−２００（ＬＡＳ−Ｈ）」）。
【００６３】
（Ｃ）成分として、以下に示す化合物を用いた。
・Ｃ−１：リンゴ酸（関東化学株式会社製、試薬「ＤＬ−リンゴ酸」）。
・Ｃ−２：酒石酸（関東化学株式会社製、試薬「Ｌ（＋）−酒石酸」）。
・Ｃ−３：クエン酸（関東化学株式会社製、試薬「くえん酸」）。
・Ｃ−４：グルタル酸（和光純薬工業株式会社製、試薬「グルタル酸」）。
【００６４】
（Ｄ）成分として、以下に示す化合物を用いた。
・Ｄ−１：過酸化水素（三菱ガス化学株式会社製）。
【００６５】
（Ｅ）成分として、以下に示す化合物を用いた。
・Ｅ−１：４−メトキシフェノール（川口化学工業株式会社製、「ＭＱ−Ｆ」）。
【００６６】
任意成分として、以下に示す化合物を用いた。
ＨＥＤＰ：１−ヒドロキシエタン−１，１−ジホスホン酸（ローディアジャパン株式会社製、「フェリオックス１１５」）。
香料：特開２００３−２６８３９８号公報の表７〜１４に記載の香料組成物Ａ。
水酸化ナトリウム：東亞合成株式会社製。
【００６７】
「実施例１」
＜液体組成物の調製＞
５００ｍＬのビーカーに、表１に示す種類と配合量の（Ｂ）成分および（Ｃ）成分と任意の量の精製水とを投入し、マグネットスターラー（ＭＩＴＡＭＵＲＡ  ＫＯＧＹＯ  ＩＮＣ．製）で十分に撹拌した。次いで、表１に示す種類と配合量の（Ａ）成分を投入して攪拌した後、表１に示す種類と配合量の（Ｅ）成分および任意成分を添加し、最後に（Ｄ）成分加え、全体量（最終の全体量を１００質量％とする。）が９０質量％になるように精製水を入れ、さらによく撹拌して混合した。その後、ｐＨ調整剤（水酸化ナトリウム）を適量添加してｐＨを調整し、全体量が１００質量％になるように残りの精製水を加え、液体組成物を得た。
ｐＨ測定は、ビーカーに入れ、２５℃の恒温槽内にて測定試料の液温が２５℃になるように調整し、ｐＨメーター（東亜ディーケーケー株式会社製、「ＨＭ−３０Ｇ」）を用いて行った。測定方法は、ＪＩＳ  Ｋ３３６２−１９９８に準拠して行った。液体組成物のｐＨを表１に示す。
得られた液体組成物について、粘度を測定し、保存安定性、洗浄力、ガス発生の評価を行った。これらの結果を表１に示す。
なお、表１中の配合量の単位は質量％であり、純分換算量を示す。また、バランス量の精製水とは、最終生成物である液体組成物の総量（全体量）が１００質量％になるように配合量を調整した精製水のことである。
【００６８】
＜測定・評価方法＞
（粘度の測定）
液体組成物の２５℃における粘度を以下のようにして測定した。
まず、Ｂ型粘度計（株式会社東京計器製、「型式ＢＭ」）にローター番号Ｎｏ．１（粘度が１００ｍＰａ・ｓ以上の場合はローター番号Ｎｏ．２）を備え付けた。ついで、測定試料をトールビーカーに入れ、２５℃の恒温槽内にて測定試料の液温が２５℃になるように調整した。液温を２５℃に調整した測定試料を先のＢ型粘度計にセットし、ローターの回転数を６０ｒｐｍに設定し、回転開始から６０秒後の粘度を測定した。
【００６９】
（保存安定性の評価）
透明のガラス瓶（広口規格びんＰＳ−ＮＯ．１１Ｋ）に、液体組成物１００ｍＬを入れ、蓋を閉めて密封した。この状態で５０℃の恒温室または−５℃の恒温室中で１ヵ月保存した後、液の外観を目視で観察し、下記基準により保存安定性を評価した。△、○、◎を合格とした。
◎：液は透明であり、沈殿物は確認できない。
○：液がやや濁っている。
△：液が白濁している。
×：液が分離している、および／または、沈殿物が確認できる。
【００７０】
（洗浄力の評価）
３ｃｍ×３ｃｍのポリエステルトロピカル（原布）に市販のラー油（ヱスビー食品株式会社製）を０．０１５ｍＬ滴下し、一晩放置し、これを評価布とした。この評価布１枚に対して、液体組成物を０．２４ｍＬ塗布し、５分放置した。その後、水温１５℃の水道水９００ｍＬを入れたＴｅｒｇ−Ｏ−Ｔｏｍｅｔｅｒ（ＵＮＩＴＥＤ  ＳＴＡＴＥＳ  ＴＥＳＴＩＮＧ社製）を用いて、１２０ｒｐｍで１０分間洗浄した（浴比２０倍）。その後、ザルに空けて洗浄液を除き、評価布を２槽式洗濯機（三菱電機株式会社製、「ＣＷ−Ｃ３０Ａ１型」）の脱水槽で１分間脱水した。さらに水温１５℃の水道水９００ｍＬを入れたＴｅｒｇ−Ｏ−Ｔｏｍｅｔｅｒ浴中で３分間すすぎ、評価布を２槽式洗濯機の脱水槽で１分間脱水した。そして、水温１５℃の水道水９００ｍＬを入れたＴｅｒｇ−Ｏ−Ｔｏｍｅｔｅｒ浴中で３分間すすぎ、評価布を２槽式洗濯機の脱水槽で１分間脱水した後、評価布を風乾した。
ラー油付着前の原布と、洗浄前の評価布と、洗浄・乾燥後の評価布のＺ値（反射率）を測色色差計（日本電色株式会社製、「ＳＥ２０００」）を用いて測定し、下記式により洗浄率（％）を算出した。
洗浄率（％）＝（洗浄・乾燥後の評価布のＺ値−洗浄前の評価布のＺ値）／（原布のＺ値−洗浄前の評価布のＺ値）×１００
【００７１】
下記評価基準により洗浄力を評価した。なお、洗浄率（％）には、汚染布５枚の平均点を用いた。△、○、◎を合格とした。
◎：洗浄率が４０％以上。
○：洗浄率が３０％以上４０％未満。
△：洗浄率が２０％以上３０％未満。
×：洗浄率が２０％未満。
【００７２】
（ガス発生の評価）
厚さ１２μｍのポリエチレンテレフタレート（ＰＥＴ）、厚さ１５μｍのポリエチレン（ＰＥ）、厚さ７μｍのアルミニウム箔、厚さ３０μｍのＰＥの順で積層した積層フィルムを縦６ｃｍ、横１２ｃｍに切り出し、縦方向に半分に折った。ついで、横方向の２辺を０．５ｃｍ幅でヒートシールして容器とした。容器の開口部から液体組成物を２０ｇ充填した後、開口部を０．５ｃｍ幅でヒートシールして密封した。この状態で５０℃の恒温室中で２ヵ月保存した後、容器の外観を目視で観察し、下記基準により保存安定性を評価した。△、○、◎を合格とした。
◎：容器に膨らみが全くない。
○：容器がわずかに膨らんでいる。
△：容器がやや膨らんでいる。
×：容器が明らかに膨らんでいる。
【００７３】
「実施例２〜２０、比較例１〜１０」
各成分の配合量を表１〜３に示すように変更した以外は、実施例１と同様にして各例の液体組成物を調製し、各種測定および評価を行った。結果を表１〜３に示す。
【００７４】
【表１】
2014148641.tif 000002
【００７５】
【表２】
2014148641.tif 000003
【００７６】
【表３】
2014148641.tif 000004
【００７７】
表１〜２から明らかなように、各実施例の液体組成物は、界面活性剤の配合量を減らしても粘度増加が図れた。また、各実施例の液体組成物は高い洗浄力を有し、高温条件および低温条件での保存安定性に優れていた。特に、２５℃におけるｐＨが５〜６である実施例５〜１８の液体組成物は、ガス発生を効果的に抑制できた。
【００７８】
一方、（Ｂ）成分および（Ｃ）成分を含有しない比較例１〜５の液体組成物は、粘度が低く、増粘効果が得られなかった。また、高温条件および低温条件での保存安定性にも劣っていた。特に、比較例４の液体組成物は洗浄力にも劣っていた。なお、比較例１〜５はガス発生の原因と考えられる（Ｃ）成分を含有していないので、ガス発生の評価は行わなかった。
（Ｂ）成分と（Ｃ）成分との質量比（（Ｂ）成分／（Ｃ）成分）が１．７である比較例６の液体組成物は、粘度が低く、増粘効果が得られなかった。また、高温条件および低温条件での保存安定性にも劣っていた。
（Ｃ）成分の含有量が２．５質量％であり、（Ａ）成分と（Ｂ）成分との質量比（（Ａ）成分／（Ｂ）成分）が０．８である比較例７の液体組成物は、洗浄力に劣っていた。
（Ａ）成分と（Ｂ）成分との質量比（（Ａ）成分／（Ｂ）成分）が６．７である比較例８の液体組成物は、高温条件での保存安定性に劣っていた。
（Ｃ）成分の含有量が２．５質量％である比較例９の液体組成物は、低温条件での保存安定性に劣っていた。また、（Ｂ）成分と（Ｃ）成分との質量比（（Ｂ）成分／（Ｃ）成分）が０．４であったため、高温条件での保存安定性にも劣っていた。
２５℃におけるｐＨが２である比較例１０の液体組成物は、粘度が低く、増粘効果が得られなかった。また、ガスが発生しやすかった。